(57)【要約】【課題】原稿を表現する画像データにおける色ズレを抑制することができる技術を提供する。【解決手段】イメージスキャナー１０は、複数のラインセンサー５６０によって撮像される各色成分の読取データにおける副走査方向の位置ズレを設計オフセット量ＤＶに応じて調整する色ズレ調整部８１４と、色ズレ調整部８１４によって調整された読取データに基づいて、原稿９０を表現する画像データを生成する画像生成部８１６と、原稿９０が受光素子５６２上に結像される結像倍率の設計値からの変化量である倍率変化量に応じて、設計オフセット量ＤＶを補正するオフセット補正部８１８とを備える。【選択図】図３
2010278944.tif 000002
【特許請求の範囲】
【請求項１】
原稿を光学的に読み取る画像読取装置であって、
線状に並べた受光素子をそれぞれ有し相互に略平行に設けられた複数のラインセンサーであって、前記原稿における主走査方向に沿ったそれぞれ異なる線状領域をそれぞれ異なる色成分で撮像する複数のラインセンサーと、
前記原稿と前記複数のラインセンサーとの間の位置関係を、前記主走査方向に交差する副走査方向へ相対的に移動させる移動部と、
前記移動部による移動に同期して前記複数のラインセンサーによって撮像される各色成分の読取データにおける前記副走査方向の位置ズレを、前記複数のラインセンサー間の距離に基づくオフセット量に応じて調整する色ズレ調整部と、
前記色ズレ調整部によって調整された各色成分の読取データに基づいて、前記原稿を表現する画像データを生成する画像生成部と、
前記原稿が前記受光素子上に結像される結像倍率の設計値からの変化量である倍率変化量に応じて、前記読取データの調整に用いられるオフセット量を補正するオフセット補正部と
を備える画像読取装置。
【請求項２】
前記オフセット補正部は、前記画像読取装置の起動後、前記原稿の読み取り前に、前記読取データの調整に用いられるオフセット量を前記倍率変化量に応じて補正する請求項１に記載の画像読取装置。
【請求項３】
請求項１または請求項２に記載の画像読取装置であって、
更に、前記複数のラインセンサーによって撮像可能な位置に相互に基準距離を置いて設けられた第１および第２の目印を備え、
前記オフセット補正部は、
前記複数のラインセンサーによって前記第１および第２の目印を読み取った画像データに基づいて、前記第１および第２の目印間の距離を示す撮像距離を算出する撮像距離算出部と、
前記基準距離と前記撮像距離とを比較することによって前記倍率変化量を算出する変化量算出部と、
前記変化量算出部によって算出された倍率変化量に応じて、前記読取データの調整に用いられるオフセット量を補正する第１の補正部と
を含む、画像読取装置。
【請求項４】
請求項１ないし請求項３のいずれか一項に記載の画像読取装置であって、
更に、前記複数のラインセンサーへと透過させて前記原稿を保持する透過平面を形成する原稿台を備え、
前記オフセット補正部は、前記倍率変化量のうち、前記原稿と前記透過平面との間の距離に起因する倍率変化量に応じて、前記読取データの調整に用いられるオフセット量を補正する第２の補正部を含む、請求項１ないし請求項３のいずれか一項に記載の画像読取装置。
【請求項５】
請求項１ないし請求項４のいずれか一項に記載の画像読取装置であって、更に、
前記原稿からの光を前記複数のラインセンサーに結像させるレンズと、
前記原稿に合焦する位置に前記レンズを移動させる合焦部と
を備え、
前記オフセット補正部は、前記倍率変化量のうち、前記合焦部による前記レンズの移動に起因する倍率変化量に応じて、前記読取データの調整に用いられるオフセット量を補正する第３の補正部を含む、画像読取装置。
【請求項６】
原稿を光学的に読み取る画像読取装置であって、
線状に並べた受光素子をそれぞれ有し相互に略平行に設けられた複数のラインセンサーであって、前記原稿における主走査方向に沿ったそれぞれ異なる線状領域をそれぞれ異なる色成分で撮像する複数のラインセンサーと、
前記原稿と前記複数のラインセンサーとの間の位置関係を、前記主走査方向に交差する副走査方向へ相対的に移動させる移動部と、
前記複数のラインセンサーによって撮像される各色成分の読取データにおける前記複数のラインセンサー間の距離に基づく前記副走査方向のオフセット量を、前記原稿から前記受光素子に至る間の光学系における光学倍率の個体誤差に応じて工場出荷前に補正した補正オフセット量を記憶する記憶部と、
前記移動部による移動に同期して前記複数のラインセンサーによって撮像される各色成分の読取データにおける前記副走査方向の位置ズレを、前記記憶部に記憶されている補正オフセット量に応じて調整する色ズレ調整部と、
前記色ズレ調整部によって調整された各色成分の読取データに基づいて、前記原稿を表現する画像データを生成する画像生成部と
を備える画像読取装置。
【請求項７】
原稿を光学的に読み取る画像読取方法であって、
線状に並べた受光素子をそれぞれ有し相互に略平行に設けられた複数のラインセンサーを用いて、前記原稿における主走査方向に沿ったそれぞれ異なる線状領域をそれぞれ異なる色成分で撮像する撮像工程と、
前記原稿と前記複数のラインセンサーとの間の位置関係を、前記主走査方向に交差する副走査方向へ相対的に移動させる移動工程と、
前記移動工程による移動に同期して前記複数のラインセンサーによって撮像される各色成分の読取データにおける前記副走査方向の位置ズレを、前記複数のラインセンサー間の距離に基づくオフセット量に応じて調整する色ズレ調整工程と、
前記色ズレ調整工程によって調整された各色成分の読取データに基づいて、前記原稿を表現する画像データを生成する画像生成工程と、
前記原稿が前記受光素子上に結像される結像倍率の設計値からの変化量である倍率変化量に応じて、前記読取データの調整に用いられるオフセット量を補正するオフセット補正工程と
を備える画像読取方法。
【請求項８】
請求項７に記載の画像読取方法であって、
前記オフセット補正工程は、
前記複数のラインセンサーによって撮像可能な位置に相互に基準距離を置いて設けられた第１および第２の目印を、前記複数のラインセンサーによって撮像する工程と、
前記複数のラインセンサーによって前記第１および第２の目印を読み取った画像データに基づいて、前記第１および第２の目印間の距離を示す撮像距離を算出する工程と、
前記基準距離と前記撮像距離とを比較することによって前記倍率変化量を算出する工程と
を備える画像読取方法。
【請求項９】
前記オフセット補正工程は、前記画像読取装置の起動後、前記原稿の読み取り前に実施される工程である請求項７または請求項８に記載の画像読取方法。
【請求項１０】
前記オフセット補正工程は、前記画像読取装置の工場出荷前に実施される工程である請求項７または請求項８に記載の画像読取方法。
【発明の詳細な説明】
【技術分野】
【０００１】
本発明は、原稿を光学的に読み取る画像読取装置（イメージスキャナー）に関する。
【背景技術】
【０００２】
従来、画像読取装置の一つとして、それぞれ異なる色成分（例えば、赤、青、緑）を別々に撮像する複数のラインセンサーを主走査方向に沿って相互に略平行に配置し、これら複数のラインセンサーと原稿との位置関係を主走査方向に交差する副走査方向に相対的に移動させながら原稿を読み取るものが知られている（特許文献１，２）。このような画像読取装置では、複数のラインセンサーにおいて同じタイミングで撮像された各色成分の読取データは、副走査方向にそれぞれずれた異なる原稿の領域を撮像したものになる。この各色成分の読取データにおける副走査方向の位置ズレは、複数のラインセンサー間の距離に基づくオフセット量に応じて調整され、この調整後の読取データに基づいて、原稿を表現した画像データが生成される。
【先行技術文献】
【特許文献】
【０００３】
【特許文献１】特開平１−９７０５５号公報
【特許文献２】特開平７−２３１８１号公報
【発明の概要】
【発明が解決しようとする課題】
【０００４】
しかしながら、従来、ラインセンサーに結像される原稿の結像倍率が何らかの要因（例えば、光学系の個体差や経年変化）によって設計値から変化してしまうと、結像倍率の変化量に起因する副走査方向の位置ズレが調整後の読取データに生じてしまうという問題があった。調整後の読取データにおける副走査方向の位置ズレは、原稿を表現する画像データにおける色ズレの要因になってしまう。
【０００５】
本発明は、上記した課題を踏まえ、原稿を表現する画像データにおける色ズレを抑制することができる技術を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］  適用例１の画像読取装置は、原稿を光学的に読み取る画像読取装置であって、線状に並べた受光素子をそれぞれ有し相互に略平行に設けられた複数のラインセンサーであって、前記原稿における主走査方向に沿ったそれぞれ異なる線状領域をそれぞれ異なる色成分で撮像する複数のラインセンサーと、前記原稿と前記複数のラインセンサーとの間の位置関係を、前記主走査方向に交差する副走査方向へ相対的に移動させる移動部と、前記移動部による移動に同期して前記複数のラインセンサーによって撮像される各色成分の読取データにおける前記副走査方向の位置ズレを、前記複数のラインセンサー間の距離に基づくオフセット量に応じて調整する色ズレ調整部と、前記色ズレ調整部によって調整された各色成分の読取データに基づいて、前記原稿を表現する画像データを生成する画像生成部と、前記原稿が前記受光素子上に結像される結像倍率の設計値からの変化量である倍率変化量に応じて、前記読取データの調整に用いられるオフセット量を補正するオフセット補正部とを備えることを特徴とする。適用例１の画像読取装置によれば、各色成分の読取データにおける副走査方向の位置ズレを調整するオフセット量を、結像倍率の倍率変化量に応じて補正することができるため、原稿を表現する画像データにおける色ズレを抑制することができる。
【０００８】
［適用例２］  適用例１の画像読取装置において、前記オフセット補正部は、前記画像読取装置の起動後、前記原稿の読み取り前に、前記読取データの調整に用いられるオフセット量を前記倍率変化量に応じて補正しても良い。適用例２の画像読取装置によれば、原稿の読み取りに先立って、オフセット量を補正することができる。
【０００９】
［適用例３］  適用例１または適用例２の画像読取装置は、更に、前記複数のラインセンサーによって撮像可能な位置に相互に基準距離を置いて設けられた第１および第２の目印を備え、前記オフセット補正部は、前記複数のラインセンサーによって前記第１および第２の目印を読み取った画像データに基づいて、前記第１および第２の目印間の距離を示す撮像距離を算出する撮像距離算出部と、前記基準距離と前記撮像距離とを比較することによって前記倍率変化量を算出する変化量算出部と、前記変化量算出部によって算出された倍率変化量に応じて、前記読取データの調整に用いられるオフセット量を補正する第１の補正部とを含むとしても良い。適用例３の画像読取装置によれば、原稿から受光素子に至る間の光学系における光学倍率の個体誤差や経年変化に起因する倍率変化量に応じてオフセット量を補正することができる。
【００１０】
［適用例４］  適用例１または適用例３のいずれかの画像読取装置は、更に、前記複数のラインセンサーへと透過させて前記原稿を保持する透過平面を形成する原稿台を備え、前記オフセット補正部は、前記倍率変化量のうち、前記原稿と前記透過平面との間の距離に起因する倍率変化量に応じて、前記読取データの調整に用いられるオフセット量を補正する第２の補正部を含むとしても良い。適用例４の画像読取装置によれば、原稿と透過平面との間の距離に起因する結像倍率の倍率変化量に応じてオフセット量を補正することができる。
【００１１】
［適用例５］  適用例１または適用例４のいずれかの画像読取装置は、更に、前記原稿からの光を前記複数のラインセンサーに結像させるレンズと、前記原稿に合焦する位置に前記レンズを移動させる合焦部とを備え、前記オフセット補正部は、前記倍率変化量のうち、前記合焦部による前記レンズの移動に起因する倍率変化量に応じて、前記読取データの調整に用いられるオフセット量を補正する第３の補正部を含むとしても良い。適用例５の画像読取装置によれば、レンズの移動に起因する結像倍率の倍率変化量に応じてオフセット量を補正することができる。
【００１２】
［適用例６］  適用例６の画像読取装置は、原稿を光学的に読み取る画像読取装置であって、線状に並べた受光素子をそれぞれ有し相互に略平行に設けられた複数のラインセンサーであって、前記原稿における主走査方向に沿ったそれぞれ異なる線状領域をそれぞれ異なる色成分で撮像する複数のラインセンサーと、前記原稿と前記複数のラインセンサーとの間の位置関係を、前記主走査方向に交差する副走査方向へ相対的に移動させる移動部と、前記複数のラインセンサーによって撮像される各色成分の読取データにおける前記複数のラインセンサー間の距離に基づく前記副走査方向のオフセット量を、前記原稿から前記受光素子に至る間の光学系における光学倍率の個体誤差に応じて工場出荷前に補正した補正オフセット量を記憶する記憶部と、前記移動部による移動に同期して前記複数のラインセンサーによって撮像される各色成分の読取データにおける前記副走査方向の位置ズレを、前記記憶部に記憶されている補正オフセット量に応じて調整する色ズレ調整部と、前記色ズレ調整部によって調整された各色成分の読取データに基づいて、前記原稿を表現する画像データを生成する画像生成部とを備えることを特徴とする。適用例６の画像読取装置によれば、原稿から受光素子に至る光学系の個体誤差に応じて補正された補正オフセット量で、各色成分の読取データにおける副走査方向の位置ズレを調整することができる。その結果、原稿を表現する画像データにおける色ズレを抑制することができる。
【００１３】
［適用例７］  適用例７の画像読取方法は、原稿を光学的に読み取る画像読取方法であって、線状に並べた受光素子をそれぞれ有し、相互に略平行に設けられた複数のラインセンサーを用いて、前記原稿における主走査方向に沿ったそれぞれ異なる線状領域をそれぞれ異なる色成分で撮像する撮像工程と、前記原稿と前記複数のラインセンサーとの間の位置関係を、前記主走査方向に交差する副走査方向へ相対的に移動させる移動工程と、前記移動工程による移動に同期して前記複数のラインセンサーによって撮像される各色成分の読取データにおける前記副走査方向の位置ズレを、前記複数のラインセンサー間の距離に基づくオフセット量に応じて調整する色ズレ調整工程と、前記色ズレ調整工程によって調整された各色成分の読取データに基づいて、前記原稿を表現する画像データを生成する画像生成工程と、前記原稿が前記受光素子上に結像される結像倍率の設計値からの変化量である倍率変化量に応じて、前記読取データの調整に用いられるオフセット量を補正するオフセット補正工程とを備えることを特徴とする。適用例７の画像読取方法によれば、各色成分の読取データにおける副走査方向の位置ズレを調整するオフセット量を、結像倍率の倍率変化に応じて補正することができるため、原稿を表現する画像データにおける色ズレを抑制することができる。
【００１４】
［適用例８］  適用例７の画像読取方法において、前記オフセット補正工程は、前記複数のラインセンサーによって撮像可能な位置に相互に基準距離を置いて設けられた第１および第２の目印を、前記複数のラインセンサーによって撮像する工程と、前記複数のラインセンサーによって前記第１および第２の目印を読み取った画像データに基づいて、前記第１および第２の目印間の距離を示す撮像距離を算出する工程と、前記基準距離と前記撮像距離とを比較することによって前記倍率変化量を算出する工程とを備えるとしても良い。適用例８の画像読取方法によれば、第１および第２の目印を基準にして倍率変化量を算出することができる。
【００１５】
［適用例９］  適用例７または適用例８の画像読取方法において、前記オフセット補正工程は、前記画像読取装置の起動後、前記原稿の読み取り前に実施される工程であっても良い。適用例９の画像読取方法によれば、原稿の読み取りに先立って、オフセット量を補正することができる。
【００１６】
［適用例１０］  適用例７または適用例８の画像読取方法において、前記オフセット補正工程は、前記画像読取装置の工場出荷前に実施される工程であっても良い。適用例１０の画像読取方法によれば、結像倍率の個体誤差に応じてオフセット量を補正することができる。
【００１７】
本発明の形態は、画像読取装置、画像読取方法に限るものではなく、画像読取装置を調整する方法、画像読取装置を制御する機能をコンピューターに実現させるためのプログラム、画像読取装置を調整する調整装置など他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１８】
【図１】イメージスキャナーの外観構成を示す説明図である。
【図２】原稿台をＺ軸方向から見た構成を主に示す説明図である。
【図３】イメージスキャナーの詳細構成を示す説明図である。
【図４】画像読取部における撮像部の詳細構成を示す説明図である。
【図５】撮像部によって生成される読取データの構成を模式的に示す説明図である。
【図６】図４の線分Ａ−Ａに沿ってラインセンサーを長手方向に切断した断面を示す説明図である。
【図７】イメージスキャナーの主制御部が実行する画像読取制御処理を示すフローチャートである。
【図８】第１実施例の第１変形例において透過原稿を保持する構造を示す説明図である。
【図９】第１実施例の第２変形例におけるレンズユニットを示す説明図である。
【図１０】第２実施例におけるイメージスキャナーの詳細構成を示す説明図である。
【図１１】第２実施例におけるイメージスキャナーの主制御部が実行する出荷前補正処理を示すフローチャートである。
【図１２】第２実施例におけるイメージスキャナーの主制御部が実行する画像読取制御処理を示すフローチャートである。
【発明を実施するための形態】
【００１９】
以上説明した本発明の構成および作用を一層明らかにするために、以下本発明を適用した画像読取装置（イメージスキャナー）について説明する。
【００２０】
Ａ．第１実施例：
Ａ１．イメージスキャナーの構成：
図１は、イメージスキャナー１０の外観構成を示す説明図である。イメージスキャナー１０は、フラットベッド方式の画像読取装置であり、原稿９０を光学的に読み取り画像データを生成する。イメージスキャナー１０は、本体筐体１１０と、蓋筐体１２０と、主制御部１３０と、画像読取部１４０と、機器インターフェース１８０と、ユーザーインターフェース１９０とを備える。
【００２１】
イメージスキャナー１０の本体筐体１１０は、主制御部１３０および画像読取部１４０を収容すると共に、原稿９０を載せる原稿台１１２を構成する。本体筐体１１０は、原稿台１１２の一部分として、透明な素材で形成された透過平面１１４を備え、透過平面１１４は、原稿９０を保持する保持平面を形成する。本実施例では、本体筐体１１０は、直方体状の箱体であり、原稿台１１２は、本体筐体１１０の上面に形成され、透過平面１１４は、本体筐体１１０の上面よりも小さな矩形状の無色透明なガラスである。本実施例では、透過平面１１４は、Ａ４サイズの原稿９０を保持可能な大きさを有する。
【００２２】
本実施例の説明では、透過平面１１４の短辺方向に沿って図１の紙面奥に向かう方向をＸ軸方向として定義し、透過平面１１４の長辺方向に沿って図１の紙面奥から手前に向かう方向をＹ軸方向として定義し、Ｘ軸方向およびＹ軸方向に直交して透過平面１１４の上方に向かう方向をＺ軸方向として定義する。
【００２３】
イメージスキャナー１０の蓋筐体１２０は、本体筐体１１０に形成された原稿台１１２の上方を開閉可能な蓋体である。本実施例では、蓋筐体１２０は、原稿台１１２の透過平面１１４よりも大きな蓋体であり、本体筐体１１０に軸着されている。
【００２４】
イメージスキャナー１０の主制御部１３０は、画像読取部１４０、機器インターフェース１８０、およびユーザーインターフェース１９０の各部と電気的に接続され、イメージスキャナー１０における各部を制御する。主制御部１３０の詳細については後述する。
【００２５】
イメージスキャナー１０の画像読取部１４０は、主制御部１３０の指示に基づいて、原稿台１１２の透過平面１１４に保持された原稿９０を走査して光学的に読み取る。画像読取部１４０の詳細については後述する。
【００２６】
イメージスキャナー１０の機器インターフェース１８０は、イメージスキャナー１０とは異なる外部機器（例えば、パーソナルコンピューターや記憶装置など）との間で情報のやり取りを行う。本実施例では、機器インターフェース１８０は、ＵＳＢ（Universal Serial Bus）規格に準拠したインターフェースであるが、他の実施形態において、ネットワークに接続するインターフェースであっても良い。
【００２７】
イメージスキャナー１０のユーザーインターフェース１９０は、イメージスキャナー１０を使用するユーザーとの間で情報のやり取りを行う。本実施例では、ユーザーインターフェース１９０は、ユーザーからの操作入力を受け付ける操作ボタンを備え、他の実施形態において、更に、ユーザーに向けて種々の情報を表示する画像表示部を備えても良い。
【００２８】
図２は、原稿台１１２をＺ軸方向から見た構成を主に示す説明図である。本実施例の説明では、Ｘ軸方向を「主走査方向」とも呼び、Ｙ軸方向を「副走査方向」とも呼ぶ。本体筐体１１０の内側である原稿台１１２の裏面には、透過平面１１４における原稿９０に接する側の表面と同一平面上に基準平面１１６が形成されている。基準平面１１６には、画像読取部１４０によって読み取り可能な位置に相互に基準距離ＤＢを置いて第１および第２の目印１１８ａ，１１８ｂが設けられている。本実施例では、第１および第２の目印１１８ａ，１１８ｂは、主走査方向に沿って設けられている。第１および第２の目印１１８ａ，１１８ｂは、画像読取部１４０によって読み取り可能な目印であれば良く、本実施例では、基準平面１１６上に描かれた点状の図柄であるが、他の実施形態において、基準平面１１６から窪んだ穴部であっても良いし、凹部や凸部で形成された図形あっても良い。
【００２９】
図３は、イメージスキャナー１０の詳細構成を示す説明図である。イメージスキャナー１０の画像読取部１４０は、キャリッジ１４２と、搬送機構部１４４と、ガイド軸１４６とを備える。画像読取部１４０のキャリッジ１４２は、原稿９０を光学的に読み取る各種の構成部品を搭載し、正のＹ軸方向である往路の副走査方向ＤＳｏ、および負のＹ軸方向である復路の副走査方向ＤＳｈに沿って、原稿９０に対して相対的に往復移動可能な往復台である。画像読取部１４０のガイド軸１４６は、副走査方向ＤＳｏ，ＤＳｈに沿った軸であり、副走査方向ＤＳｏ，ＤＳｈに沿って往復移動するキャリッジ１４２を支持する。画像読取部１４０の搬送機構部１４４は、主制御部１３０の指示に基づいて、キャリッジ１４２を副走査方向ＤＳｏ，ＤＳｈに沿って一定のステップ幅で原稿９０に対して相対的に移動させる移動部である。本実施例では、搬送機構部１４４は、主制御部１３０から出力される制御信号ＭＳに基づいて動作する。本実施例では、搬送機構部１４４は、駆動モーター、タイミングベルト、プーリーなどを備えるベルト駆動方式の搬送機構である。
【００３０】
画像読取部１４０は、キャリッジ１４２に搭載された各種の構成部品として、原稿照明部４０と、反射鏡５１，５２，５３，５４と、レンズユニット５５と、撮像部５６とを備える。画像読取部１４０の原稿照明部４０は、原稿９０に光を照射する。原稿照明部４０から照射された光の一部は、原稿９０の表面で反射した後、反射鏡５１，５２，５３，５４へと進む。画像読取部１４０の反射鏡５１，５２，５３，５４は、原稿９０からの光をレンズユニット５５へと反射させる。画像読取部１４０のレンズユニット５５は、一列に配列された複数のレンズを備え、反射鏡５４からの光を撮像部５６に結像させる。本実施例では、原稿９０から撮像部５６に到達する光は、反射鏡５１，５２，５３，５４を順に経由してレンズユニット５５に至る。画像読取部１４０の撮像部５６は、主制御部１３０から出力される制御信号ＳＴに基づいて、レンズユニット５５によって結像された光を撮像することによって、原稿９０を複数の色成分に分解して表現する読取データを生成する。
【００３１】
図４は、画像読取部１４０における撮像部５６の詳細構成を示す説明図である。撮像部５６は、異なる色成分の光を光電変換する複数のラインセンサー５６０を備える。本実施例では、撮像部５６は、赤、緑、青の各色成分の光をそれぞれ光電変換する３種類のラインセンサー５６０Ｒ，５６０Ｇ，５６０Ｂを備える。撮像部５６のラインセンサー５６０Ｒ，５６０Ｇ，５６０Ｂは、相互に略平行に等間隔に設けられている。本実施例では、ラインセンサー５６０Ｒ，５６０Ｇ，５６０Ｂの各間隔は、１２０μｍ（マイクロメートル）である。
【００３２】
図２に示すように、撮像部５６のラインセンサー５６０Ｒ，５６０Ｇ，５６０Ｂは、原稿９０における主走査方向に沿ったそれぞれ異なる線状領域８１０Ｒ，８１０Ｇ，８１０Ｂをそれぞれ異なる色成分で撮像する。線状領域８１０Ｒ，８１０Ｇ，８１０Ｂの各々は、ラインセンサー５６０Ｒ，５６０Ｇ，５６０Ｂの各間隔に起因して副走査方向にずれた位置関係となる。本実施例では、ラインセンサー５６０Ｒ，５６０Ｇ，５６０Ｂの光学解像度は、６００ｄｐｉ（ｄｏｔ  ｐｅｒ  ｉｎｃｈ、ディーピーアイ）であり、線状領域８１０Ｒ，８１０Ｇ，８１０Ｂは、主走査方向に１インチあたり６００個の画素が並ぶ読取データとして表現される。
【００３３】
図５は、撮像部５６によって生成される読取データの構成を模式的に示す説明図である。読取データＢ０，Ｂ１，Ｂ２，…，Ｂ８２は、ラインセンサー５６０Ｂの光学解像度と同じ解像度（６００ｄｐｉ）で副走査方向にずれた複数の線状領域８１０Ｂの各々をラインセンサー５６０Ｂによって撮像した青色成分の読取データを示す。読取データＧ０，Ｇ１，Ｇ２，…，Ｇ８２は、ラインセンサー５６０Ｇの光学解像度と同じ解像度（６００ｄｐｉ）で副走査方向にずれた複数の線状領域８１０Ｇの各々をラインセンサー５６０Ｇによって撮像した緑色成分の読取データを示す。読取データＲ０，Ｒ１，Ｒ２，…，Ｒ８２は、ラインセンサー５６０Ｒの光学解像度と同じ解像度（６００ｄｐｉ）で副走査方向にずれた複数の線状領域８１０Ｒの各々をラインセンサー５６０Ｒによって撮像した赤色成分の読取データを示す。
【００３４】
図５に示す読取データのうち同じ数字の符号が付された読取データは、同じタイミングで撮像された読取データを示し、例えば、読取データＢ０，Ｇ０，Ｒ０の各々は、同じタイミングで撮像されたものである。ラインセンサー５６０Ｒ，５６０Ｇ，５６０Ｂによってそれぞれ撮像される読取データのうち、同一の線状領域（ライン）を表現する読取データにおける副走査方向の位置ズレは、設計オフセット量として設計されており、図５に示す例では、副走査方向に６００ｄｐｉの間隔で原稿９０を読み取った場合、４０個の線状領域、すなわち４０ライン分の間隔になるように設計されている。例えば、青色成分の読取データＢ８０、緑色成分の読取データＧ４０、赤色成分の読取データＲ０の各々は、原稿９０における同一の線状領域（ライン）を表現する。
【００３５】
本明細書の説明では、撮像部５６のラインセンサーを一般的に示す場合には「５６０」の符号を用い、各色成分に対応するラインセンサーを個別に示す場合には「５６０Ｒ，５６０Ｇ，５６０Ｂ」を用いる。本実施例では、撮像部５６は、赤、緑、青の各色成分に対応する３種類のラインセンサー５６０をそれぞれ一個ずつ、合計三つのラインセンサー５６０を備えるが、他の実施形態において、各色成分に対応するラインセンサー５６０をそれぞれ二個以上備えても良い。本実施例では、撮像部５６は、ＲＧＢ表色系を表現する赤、緑、青の各色成分に対応するラインセンサー５６０を備えるが、他の実施形態において、ＣＭＹＫ表色系を始めとする他の表色系を表現する各色成分に対応するラインセンサー５６０を備えても良い。
【００３６】
図６は、図４の線分Ａ−Ａに沿ってラインセンサー５６０を長手方向に切断した断面を示す説明図である。ラインセンサー５６０は、シリコン基板５６１と、受光素子５６２と、マイクロレンズ５６３と、カラーフィルター５６４と、遮光膜５６５とを備える。ラインセンサー５６０には、複数の受光素子５６２が、シリコン基板５６１上に線状に並べて形成されている。本実施例では、受光素子５６２は、ＣＣＤ(Charge Coupled Device)であるが、他の実施形態において、ＣＭＯＳ(Complementary Metal Oxide Semiconductor)を始めとする他の受光素子であっても良い。
【００３７】
ラインセンサー５６０のマイクロレンズ５６３は、レンズユニット５５からの光を受光素子５６２に集光させる。ラインセンサー５６０のカラーフィルター５６４は、マイクロレンズ５６３と受光素子５６２との間に設けられ、ラインセンサー５６０で光電変換させる目的の色成分の光を選択的に透過させる。本実施例では、ラインセンサー５６０Ｂにおけるカラーフィルター５６４は、レンズユニット５５からの光に含まれる青色成分を選択的に透過させ、ラインセンサー５６０Ｇにおけるカラーフィルター５６４は、レンズユニット５５からの光に含まれる緑色成分を選択的に透過させ、ラインセンサー５６０Ｒにおけるカラーフィルター５６４は、レンズユニット５５からの光に含まれる赤色成分を選択的に透過させる。
【００３８】
図３の説明に戻り、イメージスキャナー１０の主制御部１３０は、画像読取部１４０を制御する画像読取制御部８１０と、各種のデータを記憶する記憶部８２０とを備える。主制御部１３０の記憶部８２０には、ラインセンサー５６０Ｒ，５６０Ｇ，５６０Ｂによって撮像される各色成分の読取データにおける副走査方向の位置ズレを示す設計オフセット量ＤＶが工場出荷前に予め保存されている。
【００３９】
主制御部１３０の画像読取制御部８１０は、撮像制御部８１２と、色ズレ調整部８１４と、画像生成部８１６と、オフセット補正部８１８とを備える。本実施例では、画像読取制御部８１０の機能は、プログラムに基づいてセントラルプロセッシングユニット（Central Processing Unit、以下、「ＣＰＵ」と呼ぶ）が動作することによって実現されるが、他の実施形態において、画像読取制御部８１０の少なくとも一部の機能は、主制御部１３０の電子回路がその物理的な回路構成に基づいて動作することによって実現されても良い。
【００４０】
画像読取制御部８１０の撮像制御部８１２は、搬送機構部１４４によるキャリッジ１４２の移動を制御すると共に、このキャリッジ１４２の移動に同期して撮像部５６による原稿９０の撮像を制御する。画像読取制御部８１０の色ズレ調整部８１４は、ラインセンサー５６０Ｒ，５６０Ｇ，５６０Ｂによって撮像される各色成分の読取データにおける副走査方向の位置ズレを、ラインセンサー５６０Ｒ，５６０Ｇ，５６０Ｂ間の距離に基づく設計オフセット量ＤＶに応じて調整する。画像読取制御部８１０の画像生成部８１６は、色ズレ調整部８１４によって調整された各色成分の読取データに基づいて、原稿９０を表現する画像データを生成する。画像読取制御部８１０のオフセット補正部８１８は、原稿９０が受光素子５６２上に結像される結像倍率の設計値からの変化量である倍率変化量に応じて、色ズレ調整部８１４による読取データの調整に用いられる設計オフセット量ＤＶを補正する。
【００４１】
Ａ２．イメージスキャナーの動作：
図７は、イメージスキャナー１０の主制御部１３０が実行する画像読取制御処理（ステップＳ１０）を示すフローチャートである。画像読取制御処理（ステップＳ１０）は、主制御部１３０の画像読取制御部８１０によって実現される処理である。本実施例では、イメージスキャナー１０に電源が投入された場合に、主制御部１３０は、画像読取制御処理（ステップＳ１０）を開始する。
【００４２】
画像読取制御処理（ステップＳ１０）を開始すると、イメージスキャナー１０の主制御部１３０は、初期設定処理（ステップＳ１１０）を実行する。初期設定処理（ステップＳ１１０）において、主制御部１３０は、画像読取部１４０を調整する。本実施例では、主制御部１３０は、原稿照明部４０から照射される光量および発光分布を調整すると共に、ラインセンサー５６０Ｒ，５６０Ｇ，５６０Ｂから出力される黒レベルの出力を調整した後、キャリッジ１４２を待機位置に移動させる。本実施例では、初期設定処理（ステップＳ１１０）においてキャリッジ１４２を移動させる待機位置は、本体筐体１１０の基準平面１１６に設けられた第１および第２の目印１１８ａ，１１８ｂを読み取り可能な位置である。
【００４３】
初期設定処理（ステップＳ１１０）の後、主制御部１３０は、画像読取部１４０を通じて第１および第２の目印１１８ａ，１１８ｂを読み取る（ステップＳ１２０）。
【００４４】
第１および第２の目印１１８ａ，１１８ｂを読み取った後（ステップＳ１２０）、主制御部１３０は、撮像距離算出部として動作することによって撮像距離算出処理（ステップＳ１３０）を実行する。撮像距離算出処理（ステップＳ１３０）において、主制御部１３０は、第１および第２の目印１１８ａ，１１８ｂを読み取った画像データに基づいて、その画像データにおける第１の目印１１８ａと第２の目印１１８ｂとの間の距離を示す撮像距離ＤＲを算出する。
【００４５】
撮像距離算出処理（ステップＳ１３０）の後、主制御部１３０は、変化量算出部として動作することによって変化量算出処理（ステップＳ１４０）を実行する。変化量算出処理（ステップＳ１４０）において、主制御部１３０は、撮像距離算出処理（ステップＳ１３０）で算出された撮像距離ＤＲと、第１の目印１１８ａと第２の目印１１８ｂとの間の既知の値である基準距離ＤＢとを比較することによって、原稿９０が受光素子５６２上に結像される結像倍率の設計値からの変化量である倍率変化量ＭＥを算出する。倍率変化量ＭＥは、次の数式１に基づいて算出される。
【００４６】
ＭＥ＝（ＤＲ−ＤＢ）／ＤＢ  ・・・（１）
【００４７】
変化量算出処理（ステップＳ１４０）の後、主制御部１３０は、原稿９０の読み取りを指示するユーザーからの指示入力がユーザーインターフェース１９０にて受け付けられるまで待機する（ステップＳ２１０：「ＮＯ」）。
【００４８】
ユーザーからの指示入力がユーザーインターフェース１９０にて受け付けられた場合（ステップＳ２１０：「ＹＥＳ」）、主制御部１３０は、第１の補正部であるオフセット補正部８１８として動作することによってオフセット補正処理（ステップＳ２２０）を実行する。オフセット補正処理（ステップＳ２２０）において、主制御部１３０は、記憶部８２０に記憶されている設計オフセット量ＤＶを、変化量算出処理（ステップＳ１４０）で算出した倍率変化量ＭＥに応じて補正することによって、補正オフセット量ＡＶを算出する。補正オフセット量ＡＶは、次の数式２に基づいて算出される。
【００４９】
ＡＶ＝｛ＤＶ−（ＤＶ  ×  ＭＥ）｝  ×  （ＲＳ  ／  ＲＢ）  ・・・（２）
【００５０】
数式（２）における「ＲＳ」は、今回実施さる原稿９０の読み取りにおける副走査方向の読み取り解像度である実施走査解像度を示す。数式（２）における「ＲＢ」は、設計オフセット量ＤＶに対応して設計された副走査方向の読み取り解像度である基本走査解像度を示し、本実施例では、６００ｄｐｉに設定されている。
【００５１】
例えば、設計オフセット量ＤＶを「４０ライン」、倍率変化量ＭＥを「０．１」、実施走査解像度ＲＳを「６００ｄｐｉ」、基本走査解像度ＲＢを「６００ｄｐｉ」とした場合、補正オフセット量ＡＶは、数式（２）に基づいて「３６ライン」として算出される。また、例えば、設計オフセット量ＤＶを「４０ライン」、倍率変化量ＭＥを「０．１」、実施走査解像度ＲＳを「１２００ｄｐｉ」、基本走査解像度ＲＢを「６００ｄｐｉ」とした場合、補正オフセット量ＡＶは、数式（２）に基づいて「７２ライン」として算出される。
【００５２】
オフセット補正処理（ステップＳ２２０）の後、主制御部１３０は、撮像制御部８１２として動作することによって撮像制御処理（ステップＳ２３０）を実行する。撮像制御処理（ステップＳ２３０）において、主制御部１３０は、搬送機構部１４４によるキャリッジ１４２の移動を制御すると共に、このキャリッジ１４２の移動に同期して撮像部５６による原稿９０の撮像を制御する。
【００５３】
撮像制御処理（ステップＳ２３０）の後、主制御部１３０は、色ズレ調整部８１４として動作することによって色ズレ調整処理（ステップＳ２４０）を実行する。色ズレ調整処理（ステップＳ２４０）において、主制御部１３０は、撮像制御処理（ステップＳ２３０）において撮像部５６のラインセンサー５６０Ｒ，５６０Ｇ，５６０Ｂによって撮像された各色成分の読取データにおける位置ズレを、オフセット補正処理（ステップＳ２２０）で算出された補正オフセット量ＡＶに応じて調整する。
【００５４】
色ズレ調整処理（ステップＳ２４０）の後、主制御部１３０は、画像生成部８１６として動作することによって画像生成処理（ステップＳ２５０）を実行する。画像生成処理（ステップＳ２５０）において、主制御部１３０は、色ズレ調整処理（ステップＳ２４０）で調整された各色成分の読取データに基づいて、原稿９０を表現する画像データを生成する。本実施例では、主制御部１３０は、画像生成処理（ステップＳ２５０）で生成した画像データを、機器インターフェース１８０を通じて外部機器（図示しない）に出力する。
【００５５】
画像生成処理（ステップＳ２５０）の後、主制御部１３０は、ユーザーからの指示入力がユーザーインターフェース１９０にて受け付けられるまで再び待機し（ステップＳ２１０：「ＮＯ」）、ユーザーからの指示入力がユーザーインターフェース１９０にて受け付けられると（ステップＳ２１０：「ＹＥＳ」）、オフセット補正処理（ステップＳ２２０）からの処理を繰り返し実行する。
【００５６】
Ａ３．効果：
第１実施例のイメージスキャナー１０によれば、ラインセンサー５６０Ｒ，５６０Ｇ，５６０Ｂによって撮像された各色成分の読取データにおける副走査方向の位置ズレを調整する設計オフセット量ＤＶを、結像倍率の倍率変化量ＭＥに応じて補正することができるため、原稿９０を表現する画像データにおける色ズレを抑制することができる。
【００５７】
また、イメージスキャナー１０の起動後、撮像制御処理（ステップＳ２３０）の前に、オフセット補正処理（ステップＳ２２０）を実施することから、原稿９０の読み取りに先立って、設計オフセット量ＤＶを補正することができる。
【００５８】
また、第１および第２の目印１１８ａ，１１８ｂの撮像に基づいて設計オフセット量ＤＶを補正することから（ステップＳ１２０，Ｓ１３０，Ｓ１３０，Ｓ２２０）、原稿９０から受光素子５６２に至る間の光学系における光学倍率の個体誤差や経年変化に起因する倍率変化量ＭＥに応じて設計オフセット量ＤＶを補正することができる。
【００５９】
Ａ４．第１変形例：
第１変形例のイメージスキャナー１０は、原稿が光を反射する反射原稿（例えば、紙、書籍など）である場合には原稿から反射した光を読み取り、原稿が光を透過する透過原稿（例えば、写真フィルム）である場合には原稿から透過した光を読み取る。第１変形例のイメージスキャナー１０は、透過原稿を読み取る点、透過原稿を読み取る場合に反射原稿とは異なるオフセット量で読取データを調整する点を除き、上述した第１実施例と同様である。
【００６０】
図８は、第１実施例の第１変形例において透過原稿を保持する構造を示す説明図である。第１変形例のイメージスキャナー１０の構成は、フィルムホルダー５０と、透過光源部４２とを備える点を除き、第１実施例と同様である。
【００６１】
イメージスキャナー１０のフィルムホルダー５０は、原稿台１１２における透過平面１１４に設置され、透過原稿の一つである写真フィルム９２を画像読取部１４０によって読み取り可能に保持する保持装置である。フィルムホルダー５０は、透過平面１１４の表面からＺ軸方向に間隔距離ΔＺを置いた位置に写真フィルム９２を保持する。
【００６２】
イメージスキャナー１０の透過光源部４２は、蓋筐体１２０における原稿台１１２に対向する面に設けられ、原稿台１１２においてフィルムホルダー５０に保持された写真フィルム９２に光を照射する。透過光源部４２から照射された光は、フィルムホルダー５０に保持された写真フィルム９２を透過した後、画像読取部１４０によって捕捉される。
【００６３】
第１変形例におけるイメージスキャナー１０の動作は、オフセット補正処理（ステップＳ２２０）における補正オフセット量の算出方法が異なる点を除き、第１実施例と同様である。第１変形例のオフセット補正処理（ステップＳ２２０）において、主制御部１３０は、ユーザーからの指示入力が写真フィルム９２の読み取りを示す場合、第２の補正部として動作し、前述した数式２に代えて、次の数式３に基づいて補正オフセット量ＡＶを算出する。
【００６４】
ＡＶ＝［ＤＶ−｛ＤＶ  ×  （ＭＥ  −  α）｝］  ×  （ＲＳ  ／  ＲＢ）  ・・・（３）
【００６５】
数式（３）における「α」は、原稿と透過平面１１４との間の距離に起因する倍率変化量を示し、次の数式４に基づいて算出される。
【００６６】
α＝Ｙｆ／Ｙｄ
＝｛２  ×  tan(θ／２)  ×  ΔＺ｝／Ｙｄ  ・・・（４）
【００６７】
数式（４）における「Ｙｆ」は、フィルムホルダー５０に保持された写真フィルム９２におけるレンズユニット５５によって捕捉可能なＹ軸方向の距離を示し、「Ｙｄ」は、透過平面１１４に載せられた原稿９０におけるレンズユニット５５によって捕捉可能なＹ軸方向の距離を示す。数式（４）における「θ」は、レンズユニット５５の画角を示す。
【００６８】
第１変形例のイメージスキャナー１０によれば、ラインセンサー５６０Ｒ，５６０Ｇ，５６０Ｂによって撮像された各色成分の読取データにおける副走査方向の位置ズレを調整する設計オフセット量ＤＶを、光学系における光学倍率の個体誤差や経年変化に起因する倍率変化量ＭＥに加え、原稿と透過平面１１４との間の距離に起因する倍率変化量αに応じて補正することができるため、反射原稿および透過原稿の各々を表現する画像データにおける色ズレを抑制することができる。
【００６９】
Ａ５．第２変形例：
第２変形例のイメージスキャナー１０は、原稿９０に焦点を合わせるオートフォーカス機能を備え、光学系における光学倍率の個体誤差や経年変化に起因する倍率変化量ＭＥに加え、オートフォーカス機能に基づく光学倍率の倍率変化量に応じて、設計オフセット量ＤＶを補正する点を除き、第１実施例と同様である。
【００７０】
図９は、第１実施例の第２変形例におけるレンズユニット５５を示す説明図である。第２変形例のレンズユニット５５は、フォーカスレンズ５５４と、合焦部５５９とを備える。レンズユニット５５のフォーカスレンズ５５４は、レンズユニット５５を構成するレンズの一つであり、レンズユニット５５の光軸に沿って移動可能に設けられている。レンズユニット５５の合焦部５５９は、原稿９０に合焦する位置にフォーカスレンズ５５４を移動させる。本実施例では、合焦部５５９は、アクティブ方式でオートフォーカスを実現するが、他の実施形態において、パッシブ方式でオートフォーカスを実現しても良い。
【００７１】
第２変形例におけるイメージスキャナー１０の動作は、オフセット補正処理（ステップＳ２２０）における補正オフセット量の算出方法が異なる点を除き、第１実施例と同様である。第２変形例のオフセット補正処理（ステップＳ２２０）において、主制御部１３０は、第３の補正部として動作し、合焦部５５９によるフォーカスレンズ５５４の移動量に応じて増減した倍率変化量ＭＥを用いて、補正オフセット量ＡＶを算出する。
【００７２】
第２変形例のイメージスキャナー１０によれば、ラインセンサー５６０Ｒ，５６０Ｇ，５６０Ｂによって撮像された各色成分の読取データにおける副走査方向の位置ズレを調整する設計オフセット量ＤＶを、光学系における光学倍率の個体誤差や経年変化に起因する倍率変化量ＭＥに加え、合焦部５５９によるフォーカスレンズ５５４の移動に起因する倍率変化量に応じて補正することができるため、オートフォーカス機能に起因する色ズレを抑制することができる。
【００７３】
Ｂ．第２実施例：
第２実施例におけるイメージスキャナー１２は、読取データにおける副走査方向の位置ズレを、光学系の固体誤差に応じて工場出荷前に予め補正されたオフセット量に基づいて調整する点を除き、第１実施例のイメージスキャナー１０と同様である。
【００７４】
図１０は、第２実施例におけるイメージスキャナー１２の詳細構成を示す説明図である。イメージスキャナー１２の主制御部１３０は、画像読取部１４０を制御する画像読取制御部８１０と、各種のデータを記憶する記憶部８２０とを備える。主制御部１３０の記憶部８２０には、設計オフセット量ＤＶを補正した補正オフセット量ＡＶが工場出荷前に予め保存されている。
【００７５】
主制御部１３０の画像読取制御部８１０は、撮像制御部８１２および画像生成部８１６に加え、出荷前補正部８１１と、色ズレ調整部８１５とを備える。画像読取制御部８１０の出荷前補正部８１１は、イメージスキャナー１２の工場出荷前に、補正オフセット量ＡＶを算出し記憶部８２０に保存する。画像読取制御部８１０の色ズレ調整部８１５は、記憶部８２０に記憶されている補正オフセット量ＡＶに応じて、ラインセンサー５６０Ｒ，５６０Ｇ，５６０Ｂによって撮像された各色成分の読取データにおける副走査方向の位置ズレを調整する。
【００７６】
図１１は、第２実施例におけるイメージスキャナー１２の主制御部１３０が実行する出荷前補正処理（ステップＳ３０）を示すフローチャートである。出荷前補正処理（ステップＳ３０）は、主制御部１３０の画像読取制御部８１０によって実現される処理である。本実施例では、主制御部１３０は、工場出荷前の動作検査の一環として、出荷前補正処理（ステップＳ３０）を開始する。
【００７７】
出荷前補正処理（ステップＳ３０）を開始すると、イメージスキャナー１２の主制御部１３０は、初期設定処理（ステップＳ３１０）を実行する。初期設定処理（ステップＳ３１０）において、主制御部１３０は、画像読取部１４０を調整する。本実施例では、主制御部１３０は、原稿照明部４０から照射される光量および発光分布を調整すると共に、ラインセンサー５６０Ｒ，５６０Ｇ，５６０Ｂから出力される黒レベルの出力を調整した後、キャリッジ１４２を待機位置に移動させる。
【００７８】
本実施例では、初期設定処理（ステップＳ３１０）までに、原稿台１１２における透過平面１１４には、試験原稿９８が作業者によって据え置かれる。試験原稿９８には、相互に基準距離ＤＢを置いて第１および第２の目印１１８ａ，１１８ｂが設けられている。なお、第１実施例のように、本体筐体１１０の基準平面１１６に第１および第２の目印１１８ａ，１１８ｂが設けられている場合には、試験原稿９８を据え置く必要はない。
【００７９】
初期設定処理（ステップＳ３１０）の後、主制御部１３０は、画像読取部１４０を通じて第１および第２の目印１１８ａ，１１８ｂを読み取る（ステップＳ３２０）。
【００８０】
第１および第２の目印１１８ａ，１１８ｂを読み取った後（ステップＳ３２０）、主制御部１３０は、撮像距離算出部として動作することによって撮像距離算出処理（ステップＳ３３０）を実行する。撮像距離算出処理（ステップＳ３３０）において、主制御部１３０は、第１および第２の目印１１８ａ，１１８ｂを読み取った画像データに基づいて、その画像データにおける第１の目印１１８ａと第２の目印１１８ｂとの間の距離を示す撮像距離ＤＲを算出する。
【００８１】
撮像距離算出処理（ステップＳ３３０）の後、主制御部１３０は、変化量算出部として動作することによって変化量算出処理（ステップＳ３４０）を実行する。変化量算出処理（ステップＳ３４０）において、主制御部１３０は、撮像距離算出処理（ステップＳ３３０）で算出された撮像距離ＤＲと、第１の目印１１８ａと第２の目印１１８ｂとの間の既知の値である基準距離ＤＢとを比較することによって、原稿９０が受光素子５６２上に結像される結像倍率の設計値からの変化量である倍率変化量ＭＥを算出する。倍率変化量ＭＥは、前述の数式１に基づいて算出される。
【００８２】
変化量算出処理（ステップＳ３４０）の後、主制御部１３０は、出荷前補正部８１１として動作することによってオフセット補正処理（ステップＳ３５０）を実行する。オフセット補正処理（ステップＳ３５０）において、主制御部１３０は、変化量算出処理（ステップＳ１４０）で算出した倍率変化量ＭＥに応じて設計オフセット量ＤＶを補正することによって、補正オフセット量ＡＶを算出する。補正オフセット量ＡＶは、前述の数式２に基づいて算出される。オフセット補正処理（ステップＳ３５０）では、実施走査解像度ＲＳおよび基本走査解像度ＲＢは、同じ数値として取り扱われる。
【００８３】
オフセット補正処理（ステップＳ３５０）の後、主制御部１３０は、オフセット補正処理（ステップＳ３５０）で算出した補正オフセット量ＡＶを記憶部８２０に保存する（ステップＳ３６０）。その後、主制御部１３０は、出荷前補正処理を終了する。
【００８４】
図１２は、第２実施例におけるイメージスキャナー１２の主制御部１３０が実行する画像読取制御処理（ステップＳ４０）を示すフローチャートである。画像読取制御処理（ステップＳ４０）は、主制御部１３０の画像読取制御部８１０によって実現される処理である。本実施例では、イメージスキャナー１２に電源が投入された場合に、主制御部１３０は、画像読取制御処理（ステップＳ４０）を開始する。
【００８５】
画像読取制御処理（ステップＳ４０）を開始すると、イメージスキャナー１２の主制御部１３０は、初期設定処理（ステップＳ４０５）を実行する。初期設定処理（ステップＳ４０５）において、主制御部１３０は、画像読取部１４０を調整する。本実施例では、主制御部１３０は、原稿照明部４０から照射される光量および発光分布を調整すると共に、ラインセンサー５６０Ｒ，５６０Ｇ，５６０Ｂから出力される黒レベルの出力を調整した後、キャリッジ１４２を待機位置に移動させる。
【００８６】
初期設定処理（ステップＳ４０５）の後、主制御部１３０は、原稿９０の読み取りを指示するユーザーからの指示入力がユーザーインターフェース１９０にて受け付けられるまで待機する（ステップＳ４１０：「ＮＯ」）。
【００８７】
ユーザーからの指示入力がユーザーインターフェース１９０にて受け付けられた場合（ステップＳ４１０：「ＹＥＳ」）、主制御部１３０は、記憶部８２０から補正オフセット量ＡＶを読み出す（ステップＳ４２０）。
【００８８】
補正オフセット量ＡＶを読み出した後（ステップＳ４２０）、主制御部１３０は、撮像制御部８１２として動作することによって撮像制御処理（ステップＳ４３０）を実行する。撮像制御処理（ステップＳ４３０）において、主制御部１３０は、搬送機構部１４４によるキャリッジ１４２の移動を制御すると共に、このキャリッジ１４２の移動に同期して撮像部５６による原稿９０の撮像を制御する。
【００８９】
撮像制御処理（ステップＳ４３０）の後、主制御部１３０は、色ズレ調整部８１５として動作することによって色ズレ調整処理（ステップＳ４４０）を実行する。色ズレ調整処理（ステップＳ４４０）において、主制御部１３０は、撮像制御処理（ステップＳ４３０）において撮像部５６のラインセンサー５６０Ｒ，５６０Ｇ，５６０Ｂによって撮像された各色成分の読取データにおける位置ズレを、
記憶部８２０から読み出した補正オフセット量ＡＶに応じて調整する。
【００９０】
色ズレ調整処理（ステップＳ４４０）の後、主制御部１３０は、画像生成部８１６として動作することによって画像生成処理（ステップＳ４５０）を実行する。画像生成処理（ステップＳ４５０）において、主制御部１３０は、色ズレ調整処理（ステップＳ４４０）で調整された各色成分の読取データに基づいて、原稿９０を表現する画像データを生成する。本実施例では、主制御部１３０は、画像生成処理（ステップＳ４５０）で生成した画像データを、機器インターフェース１８０を通じて外部機器（図示しない）に出力する。
【００９１】
画像生成処理（ステップＳ４５０）の後、主制御部１３０は、ユーザーからの指示入力がユーザーインターフェース１９０にて受け付けられるまで再び待機し（ステップＳ４１０：「ＮＯ」）、ユーザーからの指示入力がユーザーインターフェース１９０にて受け付けられると（ステップＳ４１０：「ＹＥＳ」）、補正オフセット量の読み出し（ステップＳ４２０）からの処理を繰り返し実行する。
【００９２】
以上説明した第２実施例のイメージスキャナー１２によれば、ラインセンサー５６０Ｒ，５６０Ｇ，５６０Ｂによって撮像された各色成分の読取データにおける副走査方向の位置ズレを調整する設計オフセット量ＤＶを、原稿９０から受光素子５６２に至る間の光学系における光学倍率の個体誤差に起因する倍率変化量ＭＥに応じて補正することができるため、原稿９０を表現する画像データにおける色ズレを抑制することができる。
【００９３】
Ｃ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【００９４】
例えば、第１実施例では、オフセット補正処理（ステップＳ２２０）を、原稿９０の読み取り前に実施する例を説明したが、他の実施形態において、予め設定されたタイミングや、定期的なタイミングで実施しても良いし、ユーザーからの要求に応じて実施しても良い。
【００９５】
また、第１実施例の第１変形例では、光学系における光学倍率の固体誤差や経年変化に起因する倍率変化量ＭＥに加え、原稿と透過平面１１４との間の距離に起因する倍率変化量αに応じて設計オフセット量ＤＶを補正したが、他の実施形態において、光学系における光学倍率の固体誤差や経年変化に起因する倍率変化量ＭＥに代えて、原稿と透過平面１１４との間の距離に起因する倍率変化量αに応じて設計オフセット量ＤＶを補正しても良い。
【００９６】
また、第１実施例の第２変形例では、光学系における光学倍率の固体誤差や経年変化に起因する倍率変化量ＭＥに加え、オートフォーカス機能に起因する倍率変化量に応じて設計オフセット量ＤＶを補正したが、他の実施形態において、光学系における光学倍率の固体誤差や経年変化に起因する倍率変化量ＭＥに代えて、原オートフォーカス機能に起因する倍率変化量に応じて設計オフセット量ＤＶを補正しても良い。
【００９７】
また、本実施例では、フラットベット方式のイメージスキャナーに本発明を適用する例を説明したが、他の実施形態において、自動原稿送り方式を始めとする他の方式によるイメージスキャナーに適用しても良いし、この他にも、ファクシミリ、複写機、複合機などの画像読取装置に適用することもできる。
【符号の説明】
【００９８】
１０…イメージスキャナー
１２…イメージスキャナー
４０…原稿照明部
４２…透過光源部
５０…フィルムホルダー
５１，５２，５３，５４…反射鏡
５５…レンズユニット
５６…撮像部
９０…原稿
９２…写真フィルム
９８…試験原稿
１１０…本体筐体
１１２…原稿台
１１４…透過平面
１１６…基準平面
１１８ａ…第１の目印
１１８ｂ…第２の目印
１２０…蓋筐体
１３０…主制御部
１４０…画像読取部
１４２…キャリッジ
１４４…搬送機構部
１４６…ガイド軸
１８０…機器インターフェース
１９０…ユーザーインターフェース
５５４…フォーカスレンズ
５５９…合焦部
５６０，５６０Ｒ，５６０Ｇ，５６０Ｂ…ラインセンサー
５６１…シリコン基板
５６２…受光素子
５６３…マイクロレンズ
５６４…カラーフィルター
５６５…遮光膜
８１０…画像読取制御部
８１０Ｒ，８１０Ｇ，８１０Ｂ…線状領域
８１１…出荷前補正部
８１２…撮像制御部
８１４…色ズレ調整部
８１５…色ズレ調整部
８１６…画像生成部
８１８…オフセット補正部
８２０…記憶部
【図１】
2010278944.tif 000003
【図２】
2010278944.tif 000004
【図３】
2010278944.tif 000005
【図４】
2010278944.tif 000006
【図５】
2010278944.tif 000007
【図６】
2010278944.tif 000008
【図７】
2010278944.tif 000009
【図８】
2010278944.tif 000010
【図９】
2010278944.tif 000011
【図１０】
2010278944.tif 000012
【図１１】
2010278944.tif 000013
【図１２】
2010278944.tif 000014